(57)【要約】【課題】所望の小物を迅速に取り出すことができ、収納された小物がポケット内で不測に移動することのない釣り用上着のポケット構造を提供する。【解決手段】上着本体に一対のポケット８，９を左右方向に隙間のない状態で併設し、各ポケット８，９の開口２５，２６を、横向きの第１開口部２５Ａ，２６Ａと、この第１開口部２５Ａ，２６Ａの内側端から下方へ向かう縦向きの第２開口部２５Ｂ，２６Ｂとから構成し、各ポケット８，９の開口２５，２６に備えたスライドファスナー２２を構成する一対のテープを各ポケット８，９の開口を構成するポケット用生地２３，２４の縁部とこれに対応する上着本体の前身頃を構成する表地１７とにそれぞれ止着してマチ部２７を構成した。【選択図】図１
2008138302.tif 000002
【特許請求の範囲】
【請求項１】
上着本体の前身頃の左右両側のうちの少なくとも一方側の下側部分に一対のポケットを左右方向に隙間のない状態で併設し、各ポケットの開口を、左右方向に伸びるとともに上端に位置する横向きの第１開口部と、この第１開口部の前身頃の左右方向中央部側となる内側端から下方へ向かう縦向きの第２開口部とから構成し、各ポケットの開口に、該開口を閉じる開閉自在なスライドファスナーを備えるとともに、該スライドファスナーを構成する一対のテープを各ポケットの表地を構成するポケット用生地の開口形成用の縁部とこれに対応する上着本体の前身頃を構成する表地とに渡ってそれぞれ止着することにより前身頃の表面から外部側へ突出するマチ部を構成したことを特徴とする釣り用上着のポケット構造。
【請求項２】
前記ポケットが内袋を備えており、前記前身頃の左右方向中央部から離間する側となる外側に位置する一方のポケットの開口を閉じる前記スライドファスナーの一対のテープのうちの前記裏地側に位置するテープの幅方向一端部の縫着部と、前記前身頃の左右方向中央部側となる内側に位置する他方のポケットの表地を構成するポケット用生地の左右方向中央部から離間する側となる外側端と、前記外側のポケットの内袋を構成する生地の前身頃の左右方向中央部側端とを、一体的に止着したことを特徴とする請求項１記載の釣り用上着のポケット構造。
【請求項３】
前記ポケットを構成するポケット用生地の上端とこれに対応する高さ位置の表地の部位とに渡って、該ポケット用生地の開放側への移動を規制するための弾性部材を取り付けたことを特徴とする請求項１又は２記載の釣り用上着のポケット構造。
【請求項４】
前記各ポケットの収納空間形成用の底部を該ポケットの第２開口部の下端よりも低い位置に形成したことを特徴とする請求項１〜３のいずれかに記載の釣り用上着のポケット構造。
【請求項５】
前記２つのポケットの第１開口部を同一高さ位置に設定する、又は左右方向中央部から離間する側となる外側に位置するポケットの第１開口部を内側に位置するポケットの第１開口部よりも高く設定し、かつ、該２つのポケットの第２開口部の下端位置を同一高さ位置に設定する、又は左右方向中央部から離間する側となる外側に位置するポケットの第２開口部の下端位置を内側に位置するポケットの第２開口部の下端位置よりも高く設定したことを特徴とする請求項１〜４のうちのいずれかに記載の釣り用上着のポケット構造。
【請求項６】
前記各ポケットの開口を構成する生地の開口縁にパイピング処理し、そのパイピング処理部を硬質材料にて構成したことを特徴とする請求項１〜５のうちのいずれかに記載の釣り用上着のポケット構造。
【請求項７】
前記内袋が、前後方向に配置された前後一対の生地と、これら前後一対の生地を前後方向で連結する連結用の生地とからなり、前記連結用生地が前記表地側から前記裏地側に突出するマチ部を構成してなる請求項２記載の釣り用上着のポケット構造。
【発明の詳細な説明】
【技術分野】
【０００１】
本発明は、複数の針ケースや仕掛けケース、あるいはガン玉を収納したガン玉ケース等の小物をそれぞれのポケットに収納することができる釣り用上着のポケット構造に関する。
【背景技術】
【０００２】
釣り用上着に備えさせているポケットは、例えば前身頃の左右両側に大きさの異なる上下一対のポケットをそれぞれ備えさせたものが既に提案されている。これらポケットは、開口部に備えられたファスナーを開放操作してから、ポケット内部の収納空間内に針ケースや仕掛けケース、あるいはガン玉ケース等の小物を入れた後、ファスナーを閉じるようにしている（例えば、特許文献１参照）。
【特許文献１】特開２００４−２２９５５４号公報（図１参照）
【発明の開示】
【発明が解決しようとする課題】
【０００３】
例えば、釣り中に仕掛けを変更したい場合に、複数の仕掛けケースの中から所望の仕掛けケースを取り出して、仕掛けを変更することになる。この場合には、前記特許文献１のポケットのように、針ケースや仕掛けケース、あるいはガン玉ケース等の小物を複数収納できる大きさに設定されているものでは、ポケットに収納された複数の仕掛けケースの中から所望の仕掛けケースを取り出すことになるが、ポケットの内部で複数の仕掛けケースが重なり合っている状態では、所望の仕掛けケースを把握し難いため、一つずつケースを取り出して所望のケースであるかどうかを一々確認しなければならず、非常に使い難いものであった。又、複数の小物がポケット内でケースの厚み方向で重なり合うと、ポケットが前方側へ必要以上に突出してしまい、違和感がある（着心地がよくない）だけでなく、ポケット内を不測に移動してしまうこともあり、改善の余地があった。
【０００４】
本発明が前述の状況に鑑み、解決しようとするところは、所望の小物を迅速に取り出すことができるだけでなく、収納された小物がポケット内で不測に移動することのない釣り用上着のポケット構造を提供することを課題とする。
【課題を解決するための手段】
【０００５】
本発明の釣り用上着のポケット構造は、上着本体の前身頃の左右両側のうちの少なくとも一方側の下側部分に一対のポケットを左右方向に隙間のない状態で併設し、各ポケットの開口を、左右方向に伸びるとともに上端に位置する横向きの第１開口部と、この第１開口部の前身頃の左右方向中央部側となる内側端から下方へ向かう縦向きの第２開口部とから構成し、各ポケットの開口に、該開口を閉じる開閉自在なスライドファスナーを備えるとともに、該スライドファスナーを構成する一対のテープを各ポケットの表地を構成するポケット用生地の開口形成用の縁部とこれに対応する上着本体の前身頃を構成する表地とに渡ってそれぞれ止着することにより前身頃の表面から外部側へ突出するマチ部を構成したことを特徴としている。
上記のように、一対のポケット部を左右方向に隙間のない状態で併設することによって、２つの小物を別々のポケットに収納することができる。このとき、マチ部が各ポケットの全周にはなく、開口にのみ備えさせる構成にすることによって、２つのポケットが隣接する側端に２つのマチ部が存在することがないから、隣り合うポケットのうちの前身頃の左右方向中央部から離間する側となる外側に位置するポケットから小物を出し入れするときに、他方の（前身頃の左右方向中央部側となる内側に位置する）ポケットのマチ部が邪魔になるといったことがなく、小物の出し入れをスムーズに行えるのである。しかも、前身頃の表面から外部側へ突出する量を抑えることができるから、収納物が不測にポケット内を移動しにくくなり、収納物をポケット内に確実に保持することができる。又、開口が前身頃の左右方向中央部側となる内側に縦向きの第２開口部を備えさせているから、これとは反対側、つまり前身頃の左右方向中央部側から離間する側となる外側に縦向きの第２開口部を備えさせて構成した場合に比べて、ポケット内の収納物が見え易いだけでなく、ポケットに手を入れ易いことから、収納物の出し入れを容易迅速に行うことができる。尚、止着とは縫着することを指すが、場合によっては接着剤にて止めることも含めるものとする。
【０００６】
前記ポケットが内袋を備えており、前記前身頃の左右方向中央部から離間する側となる外側に位置する一方のポケットの開口を閉じる前記スライドファスナーの一対のテープのうちの前記裏地側に位置するテープの幅方向一端部の縫着部と、前記前身頃の左右方向中央部側となる内側に位置する他方のポケットの表地を構成するポケット用生地の左右方向中央部から離間する側となる外側端と、前記外側のポケットの内袋を構成する生地の前身頃の左右方向中央部側端とを、一体的に止着してもよい。
【０００７】
前記ポケットを構成するポケット用生地の上端とこれに対応する高さ位置の表地の部位とに渡って、該ポケット用生地の開放側への移動を規制するための弾性部材を取り付けてもよい。
【０００８】
前記各ポケットの収納空間形成用の底部を該ポケットの第２開口部の下端よりも低い位置に形成してもよい。
【０００９】
前記２つのポケットの第１開口部を同一高さ位置に設定する、又は左右方向中央部から離間する側となる外側に位置するポケットの第１開口部を内側に位置するポケットの第１開口部よりも高く設定し、かつ、該２つのポケットの第２開口部の下端位置を同一高さ位置に設定する、又は左右方向中央部から離間する側となる外側に位置するポケットの第２開口部の下端位置を内側に位置するポケットの第２開口部の下端位置よりも高く設定してもよい。
【００１０】
前記各ポケットの開口を構成する生地の開口縁にパイピング処理し、そのパイピング処理部を硬質材料にて構成してもよい。
【００１１】
前記内袋が、前後方向に配置された前後一対の生地と、これら前後一対の生地を前後方向で連結する連結用の生地とからなり、前記連結用生地が前記表地側から前記裏地側に突出するマチ部を構成してもよい。
【発明の効果】
【００１２】
一対のポケット部を左右方向に隙間のない状態で併設することによって、２つの小物を別々のポケットに収納することができるから、ポケットを開放操作するだけで、所望の小物を迅速に取り出すことができる。しかも、マチ部が各ポケットの全周にはなく、開口にのみ備えさせる構成にすることによって、収納された小物がポケット内で不測に移動することがないだけでなく、小物の出し入れをスムーズに行える釣り用上着のポケット構造を提供することができる。しかも、開口が前身頃の左右方向中央部側となる内側に縦向きの第２開口部を備えさせているから、前身頃の左右方向中央部側から離間する側となる内側に縦向きの第２開口部を備えさせて構成した場合に比べて、収納物の出し入れを容易迅速に行うことができる利点もある。又、スライドファスナーの一対のテープにてマチ部を構成することによって、部品点数の削減化を図ることができるだけでなく、前方側へのポケットの突出量も小さく抑えることができる。
【００１３】
前記ポケットが内袋を備えており、前記前身頃の左右方向中央部から離間する側となる外側に位置する一方のポケットの開口を閉じる前記スライドファスナーの一対のテープのうちの前記裏地側に位置するテープの幅方向一端部の縫着部と、前記前身頃の左右方向中央部側となる内側に位置する他方のポケットの表地を構成するポケット用生地の左右方向中央部から離間する側となる外側端と、前記外側のポケットの内袋を構成する生地の前身頃の左右方向中央部側端とを、一体的に止着するだけで、２つのポケットを隙間のない状態で一挙に併設することができ、製造面において有利になる。
【００１４】
前記ポケットを構成するポケット用生地の上端とこれに対応する高さ位置の表地の部位との間に、該ポケット用生地の開放側への移動を規制するための弾性部材を取り付けることによって、必要以上にポケットの外側部分を構成する生地が開放側へ操作されて収納した収納物が不測に飛び出すことを回避することができる。特に、前記弾性部材を生地の上端のうちのスライドファスナーのスライド方向一端部に設けている場合には、弾性部材が収納物の出し入れに支障を来たすことがなく、収納物の出し入れも容易に行えるのである。
【００１５】
前記各ポケットの収納空間形成用の底部を該ポケットの第２開口部の下端よりも低い位置に形成することによって、開口を全開にした状態においてポケット内に収納した収納物が不測に収納空間から飛び出すことを抑制することができる。
【００１６】
前記各ポケットの開口を構成する生地の開口縁にパイピング処理し、そのパイピング処理部を硬質材料にて構成することによって、表地の開口縁の保形強度を高めることができることから、スライドファスナーをスムーズに開閉操作することができる。特に、釣り用の上着においては、前側への出っ張り量の低減及び上着の軽量化を図るために上着の表地を薄いものから構成することが好ましく、そのような構成とすることによって、各ポケットの開口を構成する生地の開口縁の保形強度を高く保つことができないものであるが、このような場合でも、開口縁を前記パイピング処理部にて強度アップすることで、スライドファスナーを片手でもスムーズに開閉操作することができるのである。
【００１７】
前記内袋が、前後方向に配置された前後一対の生地と、これら前後一対の生地を前後方向で連結する連結用の生地とからなり、前記連結用生地が前記表地側から前記裏地側に突出するマチ部を構成することによって、大きな収納物でも、ポケット用生地が表地から大きく突出することを抑えながらも、表地の内面と裏地の内面との間の空間にて吸収しながら内袋にて大きな収納物を確実に収納することができる。
【発明を実施するための最良の形態】
【００１８】
図１に、釣り用の上着の一例である袖なしの上着であるベストを示しているが、袖のある上着であってもよい。このベストは、磯釣りの際に装着されるフローティングベストや、鮎釣りの際に装着される鮎釣り用ベスト等であり、ここでは、鮎釣り用ベストを示している。前記鮎釣り用ベストは、上着本体を構成する前身頃１と、この前身頃１の左右両端に連結される後身頃２とを備え、これら前身頃１及び後身頃２を構成する生地の大部分を通気性のよいメッシュ状の生地から構成することによって、高い通気性を確保することができ、好ましいが、通気性を有さない生地から構成することもできる。前記前身頃１は、左前身頃３Ａと右前身頃３Ｂとからなり、これら左前身頃３Ａ及び右前身頃３Ｂの左右方向中心部側端に備えさせたベスト着脱用スライドファスナー４を開閉操作することで身体にベストを着脱することができるようになっているが、他の構成であってもよい。つまり、前記ベスト着脱用スライドファスナー４にて着脱できる構成であるが、他の開閉手段を用いてもよいし、又、開閉手段を無くした構成、つまり頭から被って着るようなベストであってもよい。
【００１９】
図１に示すように、前記前身頃１のうちの左前身頃３Ａの上側部分に上ポケット５を備えるとともに、左前身頃３Ａの下側部分に下ポケット６を備えている。又、右前身頃３Ｂの上側部分に上ポケット７を備えるとともに、右前身頃３Ｂの下側部分に左右方向において隙間のない状態で併設される左右一対の下ポケット８，９を備えているが、左右方向での幅を図のものよりも更に狭くして構成した３つ以上の下ポケットを右前身頃３Ｂ又は左前身頃３Ａあるいは左右の前身頃３Ａ，３Ｂの両方に備えさせて実施してもよい。又、前記ポケット５，６，７，８，９は、図の矢印で示すように上から下方へ向かって後述するスライドファスナーのスライダーをそれに備えさせた摘み部を持って移動操作することによって、ポケット５，６，７，８，９の開口を開放操作し、開放された状態のスライダーをそれに備えさせた摘み部を持って下方から上方へ移動操作することによって、ポケット５，６，７，８，９の開口を閉塞操作するようになっているが、これとは反対方向にスライダーの摘み部を移動操作する構成であってもよい。
【００２０】
前記上側のポケット５又は７は、左右対称となる形状であり、具体的構成が同一であるため、左側のポケット５を中心にして、図１及び図６に基づいて説明する。
上側のポケット５又は７の開口１０又は１１を、上方からの収納物の出し入れを可能にするべく、上着本体の左右方向両端側から中心部に向かうほど下方に位置する傾斜開口となる前記第１開口部１０Ａ又は１１Ａと、この第１開口部１０Ａ又は１１Ａの下端から連続して形成され、収納物を水平方向又は斜め方向からの収納を可能とするべく、下方に向かう縦向き開口となる前記第２開口部１０Ｂ又は１１Ｂとから構成しているが、開口１０又は１１の形状は、長方形状又は正方形状あるいは小判形状等、どのような形状であってもよい。
前記ポケットの開口１０又は１１を閉じるための開閉自在な開閉手段としてのスライドファスナー１２を備え、このスライドファスナー１２は、一対のテープ（基布）１２Ａ，１２Ａと、それらテープ１２Ａ，１２Ａに互いに対向するように取り付けられた多数の歯からなるエレメント（務歯部）１２Ｂ，１２Ｂと、前記一対のエレメント１２Ｂ，１２Ｂを噛み合わせる、又はその噛み合いを解除操作するためのスライダー（開閉部材）１２Ｃと、このスライダー１２Ｃに取り付けられた摘み部１２Ｄとからなっている。
【００２１】
図１及び図６に示す上側に位置するポケット５又は７内に図示している１３は、前記開口１０又は１１を構成する２つの開口部１０Ａ及び１０Ｂ又は１１Ａ及び１１Ｂのうちの第１開口部（第２開口部でもよい）１０Ａ又は１１Ａを通して挿入される収納物（図示せず）を差し込んで保持するための伸縮自在な正方形状の保持部であり、この保持部１３を前記ポケット５又は７を構成するメッシュ状の裏地１４の表面の上側部分に該ポケット５又は７の収納空間内に突出する状態で備えさせているが、無くてもよい。前記保持部１３は、メッシュ状の保持本体１３Ｂと、これの先端側に備えさせ、第１開口１０Ａ又は１１Ａから挿入される収納物を差し込むための挿入開口を備える挿入部１３Ａとからなっている。
【００２２】
前記左前身頃３Ａの下側部分に備えさせた下ポケット６について説明すれば、図１、図６に示すように、下ポケット６の開口１９が、左右方向に伸びる水平開口となる第１開口部１９Ａと、この第１開口部１９Ａの左右方向中心部側端から下方に湾曲しながら向かう縦向き開口となる第２開口部１９Ｂとからなり、前記保持部１３が前記第２開口部１９Ｂを通して挿入される収納物（図示せず）を差し込んで保持するように左右方向に長い姿勢で配置されているが、無くてもよい。前記保持部１３が、メッシュ状の保持本体１３Ｂと、これの先端側に備えさせ、第１開口１０Ａ又は１１Ａから挿入される収納物を差し込むための収納物挿入口１３Ｓを備える挿入部１３Ａとからなっている。前記収納物挿入口１３Ｓは下端側ほど先端側に位置する傾斜開口になっている。
【００２３】
前記上ポケット５，７と同様に、下ポケット６の開口１９を閉じるための開閉自在な開閉手段としてのスライドファスナー２１を備え、このスライドファスナー２１は、一対のテープ（基布）２１Ａ，２１Ａと、それらテープ２１Ａ，２１Ａに互いに対向するように取り付けられた多数の歯からなるエレメント（務歯部）２１Ｂ，２１Ｂと、前記一対のエレメント２１Ｂ，２１Ｂを噛み合わせる、又はその噛み合いを解除操作するためのスライダー（開閉部材）２１Ｃと、このスライダー２１Ｃに取り付けられた摘み部２１Ｄとからなっているが、開閉手段は、前述同様に他の構成であってもよい。
【００２４】
又、図１及び図６に示すように、３つのポケット５，６，７を構成するポケット用生地１６，２０，１７の上端でかつポケット５，６，７の開口の長手方向一端部（開口始端部）とこれに対応する高さ位置の表地３３，１６（ポケット用生地），３４の下端との間に、ポケット用生地１６，２０，１７の開放側（前方側）への操作を規制するための弾性部材としての帯状のゴム１８を備えさせて、必要以上にポケット用生地１６，２０，１７が開放側へ操作されて収納した収納物が不測に飛び出すことがないようにしている。しかも、前記のようにゴム１８がポケット用生地１６，２０，１７の上端のうちのスライドファスナーのスライド方向の一端に設けられているから、収納物の出し入れに支障を来たすことがないようになっている。図４では、スライドファスナー２２を全閉状態にしたときに、それの摘み部２２Ｄがゴム１８で覆われた状態になるようにゴム１８の取付位置を設定することによって、他物が摘み部２２Ｄに引っ掛からないだけでなく、スライダー２２Ｃやスライダー２２Ｃとテープ２２Ａ，２２Ａとの間に発生する隙間に、釣り糸などが噛み込むことを確実に防止することができる利点がある。前記弾性部材としての具体的構成は自由に変更可能である。
【００２５】
前記右前身頃の下側部分に備えさせた前記左右一対のポケット部８，９について詳述すれば、図１〜図５に示すように、前記２つのポケット８，９を、前記右前身頃３Ｂを構成するメッシュ状の裏地１５の下側の前方に位置させた２枚のポケット用生地２３，２４と、収納物を収納するためのメッシュ状の内袋２９，３０とから構成し、各ポケット８又は９の開口２５又は２６を、左右方向に伸びるとともに上端に位置する横向きの第１開口部２５Ａ又は２６Ａと、この第１開口部２５Ａ又は２６Ａにおける前身頃１の左右方向中央部側端から下方へ向かう縦向きの第２開口部２５Ｂ又は２６Ｂとから構成している。
各ポケット８又は９の開口２５又は２６に、該開口２５又は２６を閉じる開閉自在なスライドファスナー２２を備えるとともに、該スライドファスナー２２を構成するテープ２２Ａ，２２Ａを各ポケット８又は９の開口２５又は２６を構成する前記ポケット用生地２３又は２４の縁部とこれに対応する前記表地（ポケット用生地）１７（上ポケット７）との間に渡ってそれぞれ縫着して前身頃の表面から外部側へ平面視において三角形状（半球状でもよく、形状は自由に変更できる）に突出するマチ部２７を構成している。
【００２６】
前記マチ部２７は、実際には、スライドファスナー２２を構成するテープ２２Ａ，２２Ａからなり、ほぼ長方形状のポケット８又は９を構成する４辺のうちの上辺及び前身頃１の左右方向中央部側端に相当する一側辺（左側辺）の２辺でマチ部２７が形成されている。前記内袋２９又は３０は、前後方向に配置された前後一対の縦長状の生地２９Ａ，２９Ｃ又は３０Ａ，３０Ｃと、これら前後一対の生地２９Ａ，２９Ｃ又は３０Ａ，３０Ｃを前後方向で連結する下側で水平方向に折り曲げられたほぼ逆Ｌ字状に構成された連結用の生地２９Ｂ又は３０Ｂとからなり、前記連結用生地２９Ｂ又は３０Ｂが後述する表地３１，３２側から前記裏地１５側に突出するマチ部を構成することによって、大きな収納物でも、ポケット用生地２３，２４が後述する表地３１，３２から大きく突出することを抑えながらも、表地３１，３２の内面と裏地１５の内面との間の空間にて吸収しながら内袋２９，３０にて大きな収納物をも確実に収納することができるようにしているが、マチ部の無い内袋であってもよい。
前記中間部に位置する連結用生地２９Ｂ又は３０Ｂの左右幅方向両端のそれぞれに、残りの前後一対の生地２９Ａ，２９Ｃ又は３０Ａ，３０Ｃの左右幅方向一端をそれぞれ縫着して３枚の生地２９Ａ，２９Ｂ，２９Ｃ又は３０Ａ，３０Ｂ，３０Ｃを一体化している。前記生地２９Ａ，２９Ｂ，２９Ｃ又は３０Ａ，３０Ｂ，３０Ｃのうちの後側に位置する生地２９Ｃ又は３０Ｃをメッシュ状のものから構成して裏地１５との通気性を確保することができるようにしているが、通気性のない生地であってもよい。そして、前記残りの生地２９Ａ，２９Ｃ又は３０Ａ，３０Ｃのうちの前側に位置する生地２９Ａ又は３０Ａの左右幅方向他端と前記ポケット用生地２３又は２４の前身頃の左右方向中央部側端とで前記前側に位置するテープ２２Ａの左右幅方向端を挟み込んだ状態で縫着することにより、３つの部材２９Ａ又は３０Ａ、２３又は２４、２２Ａ又は２２Ａを一体化している。又、前記後側に位置する生地２９Ｃ又は３０Ｃの左右幅方向他端と前記ポケット用生地２３又は前記ポケットよりも前身頃の左右方向中央側に位置する表地を構成する生地３１の前身頃の左右方向中央部から離間する側端とで前記後側に位置するテープ２２Ａの左右幅方向端を挟み込んだ状態で縫着することにより、３つの部材２９Ｃ又は３０Ｃ、２３又は３１、２２Ａ又は２２Ａを一体化している。尚、図に示す３２は、前記ポケット用生地２４の前身頃の左右方向中央部から離間する側端に隣り合わせで縫着された表地を構成する別の生地である。図４では構成部材の形状を分かりやすくするために各部材同士の間隔を大きくしており、特に内袋２９，３０にて形成される収納空間Ｈ１，Ｈ２が図４では矩形状になっているが、裏地１５と表地３１，３２との間の隙間（空間）が小さい場合には、図５（ｂ）に示すような、平面視においてほぼ三角形状になる場合がある。
【００２７】
この場合には、図５（ａ），（ｂ）に示すように、各ポケット８又は９の内袋２９又は３０が押し潰されてしまうため、図４で示した前記収納空間Ｈ１又はＨ２の上側が、平面視において前身頃１の左右方向中央部から離間する側となる外側端ほど狭くなる三角形状になり、収納空間Ｈ１又はＨ２に収納される収納物（図示せず）の前身頃１の左右方向中央部から離間する側となる外側端部分が前側の生地２９Ａ又は３０Ａと内側の生地２９Ｃ又は３０Ｃとの間に食い込んだ（挟まれた）状態になり、収納物を一層安定よく収納することができる利点がある。又、各ポケット８又は９の内袋２９又は３０にて形成される収納空間Ｈ１又はＨ２の下端のマチ部も押し潰されてしまい、上側の収納空間に比べて下側の収納空間も狭くなることになり、収納空間の下側においても収納物が前側の生地２９Ａ又は３０Ａと内側の生地２９Ｃ又は３０Ｃとの間に食い込んだ（挟まれた）状態になって、より一層収納物を安定よく収納することができる。
図４で示したように各ポケット８又は９の前身頃１の左右方向中央部側から離間する側となる外側端にマチ部が設けられていないことから、特に鮎釣り等で身体の両横側にタモやオトリ缶等の装備品を備えさせて使用する場合において、腕がマチ部に引っ掛かる等、マチ部が邪魔になることがなく、快適に使用することができる利点がある。前記収納物としては、大きさの異なる直方体のもの（縦長状のもの）でもよく、形状及び大きさは自由に変更可能である。又、前記収納物は、針ケースや仕掛けケース、あるいはガン玉を収納したガン玉ケース等の小物であるが、他のものであってもよい。
【００２８】
図２〜図４に示すように、前記右前身頃３Ｂの２つのポケット８，９にも、ポケット８，９を構成するポケット用生地２３，２４の上端とこれと同一高さ位置にある前記上ポケット７を構成するポケット用生地１７の下端との間に、該ポケット用生地２３，２４の開放側（前方側）への移動を規制するための弾性部材としての帯状のゴム１８をそれぞれ備えさせている。前記ゴム１８を備えさせることによって、図３に示すように、スライドファスナー２２を全開状態にした場合でも、図に示す開き角度よりも大きく開くことがないようにして、ポケット内の収納物が不測に飛び出すことがないようにしている。図に示す開き角度は図に示すものに限定されるものではなく、場合に応じて自由に設定可能である。
【００２９】
図４に示すように、前記前身頃１の左右方向中央部から離間する側となる外側に位置する一方（右側）のポケット９の開口２６を閉じる前記スライドファスナー２２の一対のテープ２２Ａ，２２Ａのうちの前記裏地１５側に位置するテープ２２Ａの幅方向一端部の縫着部２２ａと、前記前身頃の左右方向中央部側となる内側に位置する他方のポケット８の表地を構成するポケット用生地２３の左右方向中央部から離間する側となる外側端２３ａと、該右側ポケット９の内袋３０を構成する後側生地３０Ｃの前身頃１の左右方向中央部側端３０ｃの３枚の生地を一挙に止着（縫着）することによって、２つのポケットを隙間のない状態で一挙に併設することができるようにしている。図４では、テープ２２Ａの幅方向一端側の縫着部２２ａをポケット用生地２３と内袋３０の後側生地３０Ｃとでサンドイッチした状態で一体化している場合を示しているが、内袋３０を構成する後側生地３０Ｃをポケット用生地２３とテープ２２Ａの幅方向一端側の縫着部２２ａとでサンドイッチした状態で縫着してもよい。前記表地を構成するポケット用生地２４側に位置するテープ２２Ａの幅方向他端側は、内袋３０を構成する前側に位置する生地３０Ａと右側のポケット９の表地を構成するポケット用生地２４とでサンドイッチした状態で縫着している。又、左側のポケット８も右側のポケット９と同様に、一対のテープ２２Ａ，２２Ａの両端のうちの一端が、ポケット用生地２３と内袋２９を構成する前側に位置する生地２９Ａとで挟持され、かつ、他端が右側のポケット８と隣り合う前記生地３１と内袋２９を構成する後側に位置する生地２９Ｃとで挟持された状態で縫着されている。図４の太線が縫着ラインを示している。前記縫着に代えて接着剤を用いて止着してもよい。
【００３０】
図１及び図３にも示すように、前記各ポケットの収納空間Ｈ１，Ｈ２形成用の底部ｈ１，ｈ２を該ポケット８，９の第２開口部２５Ｂ，２６Ｂの下端よりも低い位置に形成して、開口２５，２６を全開にした状態においてポケット８，９内に収納した収納物が不測に収納空間Ｈ１，Ｈ２から飛び出すことを抑制することができるようにしている。
【００３１】
図１では、前記２つのポケット８，９のうちの左右方向外側に位置する右側のポケット９の第１開口部２６Ａを内側に位置する左側のポケット８の第１開口部２５Ａよりも少し高く設定し、かつ、該２つのポケット８，９のうちの左右方向外側に位置する右側のポケット９の第２開口部２６Ｂの下端位置を内側に位置する左側のポケット８の第２開口部２５Ｂの下端位置よりも高く設定しているが、それらを同一高さ位置に設定してもよいし、場合によっては、右側のポケット９の第１開口部２６Ａを左側のポケット８の第１開口部２５Ａよりも少し低く設定し、かつ、右側のポケット９の第２開口部２６Ｂの下端位置を左側のポケット８の第２開口部２５Ｂの下端位置よりも少し低く設定してもよい。
【００３２】
前記ポケット８，９の開口２５，２６を構成するポケット用生地２３，２４の開口縁、つまり上端縁と左側端縁に渡ってパイピング処理し、そのパイピング処理部２８，２８を硬質材料にて構成することによって、ポケット８，９の開口２５，２６の縁の強度アップを図ることができるから、特に左右方向に隣接配置したポケット８，９の開閉時におけるスライドファスナー２２，２２のスライダー２２Ｃ，２２Ｃを片手でもスムーズに移動させることができる利点がある。前記パイピング処理部２８は、硬質ポリウレタンや硬質ポリ塩化ビニル等の硬質合成樹脂により成型された丸棒状のものをナイロンタフタ等からなる布地のもので覆ったものから構成する、あるいは硬質ポリウレタンや硬質ポリ塩化ビニル等の硬質合成樹脂により成型された丸棒状又は円筒状のものを表地に直接備えさせて構成してもよいし、場合によって金属材料等で構成してもよい。前記パイピング処理部２８を他のポケット５，６，７にも備えさせて実施することによって、他のポケット５，６，７の開閉操作も片手でもスムーズに行えるように構成してもよい。
【図面の簡単な説明】
【００３３】
【図１】釣り用上着の正面図である。
【図２】右前身頃の下側の部分のポケットを示す要部の正面図である。
【図３】右前身頃の下側の部分の２つのポケットを開放状態にした要部の斜視図である。
【図４】右前身頃の下側の部分の２つのポケットの内部構造を示す横断平面図である。
【図５】（ａ）は右前身頃の下側の部分の２つのポケットを斜め上から見た斜視図、（ｂ）は（ａ）で示した２つのポケット内の収納空間を示す斜視図である。
【図６】左前身頃の上下のポケットを開放状態にした要部の斜視図である。
【符号の説明】
【００３４】
１…前身頃、２…後身頃、３Ａ…左前身頃、３Ｂ…右前身頃、４…ベスト着脱用スライドファスナー、５，７…上ポケット、６，８，９…下ポケット、１０，１１…開口、１０Ａ，１１Ａ…第１開口部、１０Ｂ，１１Ｂ…第２開口部、１２…スライドファスナー、１２Ａ…テープ、１２Ｂ…エレメント、１２Ｃ…スライダー、１２Ｄ…摘み部、１３…保持部、１３Ａ…挿入部、１３Ｂ…保持本体、１３Ｓ…収納物挿入口、１４，１５…裏地、１６，１７…ポケット用生地（表地）、１８…ゴム、１９…開口、１９Ａ…第１開口部、１９Ｂ…第２開口部、２０…ポケット用生地、２１，２２…スライドファスナー、２１Ａ，２２Ａ…テープ、２１Ｂ，２２Ｂ…エレメント、２１Ｃ，２２Ｃ…スライダー、２１Ｄ，２２Ｄ…摘み部、２３，２４…ポケット用生地、２５，２６…開口、２５Ａ，２６Ａ…第１開口部、２５Ｂ，２６Ｂ…第２開口部、２７…マチ部、Ｈ１，Ｈ２…収納空間、２８…パイピング処理部
【図１】
2008138302.tif 000003
【図２】
2008138302.tif 000004
【図３】
2008138302.tif 000005
【図４】
2008138302.tif 000006
【図５】
2008138302.tif 000007
【図６】
2008138302.tif 000008